(57)【要約】【課題】電圧供給部が簡略な構成である場合でも、供給される基準電圧をオプション装置の装着状態に応じて容易に変更することが可能な電気機器および画像形成装置を提供する。【解決手段】画像形成装置１０は、オプション装置１８が着脱可能に構成されている。画像形成装置１０は、電源ユニット３０と、判定部２１と、電圧変更部２２と、を備える。電源ユニット３０は、予め定められた値の基準電圧Ｖ０を生成するＡＣ／ＤＣ４０を有し、ＡＣ／ＤＣ４０で生成された前記基準電圧Ｖ０を画像形成装置１０の負荷部１５に供給する。判定部２１は、画像形成装置１０に対するオプション装置１８の装着状態を判定する。電圧変更部２２は、判定部２１により判定された前記装着状態に応じて電源ユニット３０により供給される基準電圧Ｖ０を変更する。【選択図】図５
2016154420.tif 000002
【特許請求の範囲】
【請求項１】
オプション装置が着脱可能な電気機器であって、
予め定められた値の基準電圧を生成する電圧生成部を有し、前記電圧生成部で生成された前記基準電圧を前記電機機器の負荷部および前記オプション装置それぞれに供給する電圧供給部と、
前記電気機器に対する前記オプション装置の装着の有無を判定する判定部と、
前記判定部により判定された前記オプション装置の装着状態に応じて前記電圧供給部により供給される前記基準電圧を変更する電圧変更部と、を備える電気機器。
【請求項２】
前記電気機器の動作モードを、負荷部への電力の供給を遮断する省電力モードと複数の負荷部に電力を供給する通常動作モードとのいずれかに切り替える動作モード切替部を更に備え、
前記電圧変更部は、前記動作モード切替部によって前記省電力モードに切り替えられた場合に前記省電力モードに応じて前記基準電圧を変更する請求項１に記載の電気機器。
【請求項３】
前記電圧変更部は、
前記判定部によって前記オプション装置が装着されていると判定されると前記オプション装置が装着されていないときに供給される前記基準電圧よりも高い前記基準電圧に変更し、
前記動作モード切替部によって前記省電力モードに切り替えられると前記オプション装置が装着されていないときに供給される前記基準電圧と同じ又はより低い基準電圧に変更する請求項２に記載の電気機器。
【請求項４】
前記動作モード切替部によって前記省電力モードに切り替えられる際に前記オプション装置の装着状態を記憶する記憶部を更に備え、
前記電圧変更部は、前記電気機器の動作モードが前記省電力モードから前記通常動作モードに復帰した場合に前記記憶部に記憶された装着状態に応じて前記基準電圧を変更する請求項２又は３に記載の電気機器。
【請求項５】
前記電圧生成部は、
所定の周波数信号の周波数に応じて給電経路をスイッチングして前記基準電圧に対応する矩形波の電圧信号を生成するスイッチング部と、前記周波数信号を前記スイッチング部に出力するスイッチング制御部と、を有し、
前記電圧変更部は、変更後の前記基準電圧に対応する周波数の前記周波数信号を前記スイッチング制御部に出力させて、前記基準電圧を変更する請求項１から４のいずれかに記載の電気機器。
【請求項６】
前記オプション装置が着脱可能な装置本体と、
前記装置本体に設けられ、シートに対して画像を形成する画像形成部と、を更に備える請求項１から５のいずれかに記載の電気機器。
【請求項７】
前記オプション装置は、前記画像形成部へ前記シートを給送する給送装置、及び前記画像形成部による画像形成後の前記シートに対して所定の後処理を実行する後処理装置の両方又はいずれか一方である請求項６に記載の電気機器。
【請求項８】
オプション装置が着脱可能な装置本体と、
予め定められた値の基準電圧を生成する電圧生成部を有し、前記電圧生成部で生成された前記基準電圧を前記装置本体に設けられた負荷部および前記オプション装置それぞれに供給する電圧供給部と、
前記電気機器に対する前記オプション装置の装着の有無を判定する判定部と、
前記判定部により判定された前記オプション装置の装着状態に応じて前記電圧供給部により供給される前記基準電圧を変更する電圧変更部と、を備える画像形成装置。
【発明の詳細な説明】
【技術分野】
【０００１】
本発明は、予め定められた値の基準電圧を負荷部やオプション装置に供給する電源供給部を備える電気機器および画像形成装置に関する。
【背景技術】
【０００２】
複写機やプリンター、ファクシミリなどの画像形成装置は、電力をほとんど消費しない低負荷状態から多くの電力を消費する高負荷状態まで、様々な負荷状態で稼働している。このような画像形成装置に用いられる電源装置として、画像形成装置に装着されるオプション装置の種類に対応して、電源装置に含まれる昇圧回路による昇圧電圧を変更する装置が知られている（特許文献１参照）。
【先行技術文献】
【特許文献】
【０００３】
【特許文献１】特開２０１２−２１７３０９号公報
【発明の概要】
【発明が解決しようとする課題】
【０００４】
ところで、上述した従来の電源装置は、昇圧回路を有しており、昇圧回路によって昇圧された後の電圧をスイッチング部によって降圧することにより、所望する基準電圧（電源電圧）を生成する。このような電源装置であれば、前記昇圧回路の昇圧電圧を変更することが可能である。しかしながら、電源装置の電源回路が昇圧回路を有しない簡略な構成である場合は、そもそも前記昇圧回路を制御する制御回路も有していないため、電源装置の前記基準電圧を容易に変更することはできない。
【０００５】
本発明は、前記事情に鑑みてなされたものであり、その目的は、電圧供給部が簡略な構成である場合でも、供給される基準電圧をオプション装置の装着状態に応じて容易に変更することが可能な電気機器および画像形成装置を提供することにある。
【課題を解決するための手段】
【０００６】
本発明の一の局面に係る電気機器は、オプション装置が着脱可能な電気機器である。前記電気機器は、電圧供給部と、判定部と、電圧変更部と、を備える。前記電圧供給部は、予め定められた値の基準電圧を生成する電圧生成部を有し、前記電圧生成部で生成された前記基準電圧を前記電機機器の負荷部および前記オプション装置それぞれに供給する。前記判定部は、前記電気機器に対する前記オプション装置の装着の有無を判定する。前記電圧変更部は、前記判定部により判定された前記オプション装置の装着状態に応じて前記電圧供給部により供給される前記基準電圧を変更する。
【０００７】
本発明の他の局面に係る画像形成装置は、装置本体と、電圧供給部と、判定部と、電圧変更部と、を備える。前記装置本体は、オプション装置が着脱可能に構成されている。前記電圧供給部は、予め定められた値の基準電圧を生成する電圧生成部を有し、前記電圧生成部で生成された前記基準電圧を前記装置本体に設けられた負荷部および前記オプション装置それぞれに供給する。前記判定部は、前記電気機器に対する前記オプション装置の装着の有無を判定する。前記電圧変更部は、前記判定部により判定された前記オプション装置の装着状態に応じて前記電圧供給部により供給される前記基準電圧を変更する。
【発明の効果】
【０００８】
本発明によれば、電圧供給部が簡略な構成である場合でも、供給される基準電圧をオプション装置の装着状態に応じて容易に変更することが可能である。
【図面の簡単な説明】
【０００９】
【図１】図１は、本発明の実施形態に係る画像形成装置の構成を示す図である。
【図２】図２は、画像形成装置が備える電源ユニットの構成を示す図である。
【図３】図３は、電源ユニットのＡＣ／ＤＣコンバーターの構成を示す回路図である。
【図４】図４は、オプション装置の装着状態や画像形成装置の動作モードに応じた基準電圧の設定値の対応関係を示す図である。
【図５】図５は、主制御部により実行される基準電圧の変更処理の手順を示すフローチャートである。
【発明を実施するための形態】
【００１０】
以下、添付図面を参照しながら、本発明の実施形態について説明する。なお、以下の実施形態は、本発明を具体化した一例であり、本発明の技術的範囲を限定するものではない。
【００１１】
［画像形成装置１０の概略構成］
図１を参照して、本発明の電気機器の一実施形態に係る画像形成装置１０の構成について説明する。なお、本実施形態では、本発明の一例として画像形成装置１０を例示して説明するが、本発明はこれに限られず、例えばプリンター、ファクシミリ装置、複写機であってもよい。
【００１２】
図１に示されるように、画像形成装置１０は、画像読取部１１、画像形成部１２、操作表示部１３、給紙部１４、ＮＩＣ（ネットワークインターフェースカード）１９、及びこれらを制御する主制御部２０を備えている。これらの各構成部は、画像形成装置１０の筐体（本発明の装置本体の一例）に設けられている。また、画像形成装置１０は、オプション給紙部１６、後処理装置１７を備えている。また、画像形成装置１０は、画像読取部１１や画像形成部１２、操作表示部１３、給紙部１４、オプション給紙部１６、後処理装置１７、ＮＩＣ１９、主制御部２０などに必要な電力を供給する電源ユニット３０（本発明の電圧供給部の一例）を備えている。
【００１３】
画像読取部１１や画像形成部１２、操作表示部１３、給紙部１４、オプション給紙部１６、後処理装置１７は、それぞれ、電力を消費して駆動する駆動部を有するものであり、画像形成装置１０において負荷となる部分である。前記駆動部としては、例えば、モーター、液晶ディスプレイ、光源、センサーなどが挙げられる。以下、説明の便宜上、画像読取部１１、画像形成部１２、操作表示部１３、給紙部１４を総称して負荷部１５と称する。また、オプション給紙部１６および後処理装置１７は、画像形成装置１０に着脱可能に構成されており、画像形成装置１０に連結されて使用される。以下、オプション給紙部１６及び後処理装置１７を総称してオプション装置１８と称する。
【００１４】
画像読取部１１は、コンタクトガラス、読取ユニット、ミラー、光学レンズ、及びＣＣＤなどを備えた所謂スキャナーである。画像読取部１１は、所定の位置にセットされた原稿から画像データを読み取る画像読取処理を実行する。具体的には、原稿が前記コンタクトガラス上に載置され、その後、操作表示部１３から画像読取指示が入力される。そして、内蔵されている駆動モーターによって読取ユニットが副走査方向へ移動される。その移動中に、前記読取ユニットの光源から順次１ライン分の光が連続して原稿に照射される。そして、原稿からの反射光が前記ミラー及び前記光学レンズを経て前記ＣＣＤに導かれ、このＣＣＤにて受光した光量に応じた光量データが主制御部２０に出力される。主制御部２０では、前記光学データに基づいて原稿の画像データが生成される。
【００１５】
画像形成部１２は、電子写真方式に基づいて画像形成処理（印刷処理）を実行する。具体的には、画像形成部１２は、画像読取部１１で読み取られた画像データ、又は外部のパーソナルコンピューター等の情報処理装置からＮＩＣ１９を通じて入力された印刷ジョブに基づいて画像形成処理を実行する。画像形成部１２は、感光体ドラム、帯電装置、現像装置、転写装置、定着装置、レーザスキャナユニットなどを備えている。前記印刷ジョブが入力されると、前記帯電装置によって前記感光体ドラムが所定の電位に一様に帯電される。次に、前記レーザスキャナユニットにより前記感光体ドラムの表面に前記印刷ジョブに含まれる画像データに基づく光が照射される。これにより、前記感光体ドラムの表面に静電潜像が形成される。そして、前記感光体ドラム上の静電潜像は前記現像装置によってトナー像に現像される。続いて、前記感光体ドラムに形成されたトナー像は前記転写装置によって印刷用紙（シート部材）に転写され、その後、前記定着装置によって印刷用紙に定着される。なお、本実施形態では、電子写真方式の画像形成部１２を例にして説明するが、画像形成部１２は電子写真方式のものに限られず、インクジェット記録方式のものであっても、或いはそれ以外の記録方式又は印刷方式のものであってもよい。
【００１６】
主制御部２０は、画像形成装置１０を統括的に制御する。主制御部２０は、ＣＰＵ、ＲＯＭ、ＲＡＭなどの電子デバイスを主な構成要素とするマイクロコンピューターが実装された制御基板として構成されている。また、主制御部２０は、図示しないモータードライバーなどの制御デバイスを備えている。また、主制御部２０は、記憶部２４を備えている。主制御部２０は、図１に示されるように、内部バス２５によって負荷部１５、オプション装置１８、及びＮＩＣ１９と相互に通信可能に接続されている。主制御部２０は、前記ＲＯＭに記憶されたプログラムを前記ＣＰＵが実行することにより、画像形成装置１０を統括的に制御する。また、主制御部２０は、前記プログラムが実行されることによって所定の処理を実行する判定部２１、電圧変更部２２、動作モード切替部２３を有する。これらの各部については後述する。なお、主制御部２０は、ＡＳＩＣ、ＤＳＰなどの集積回路（電子回路）で構成されたものであってもよい。
【００１７】
ＮＩＣ１９は、標準規格ＩＥＥＥ８０２．３に準拠した通信インターフェースカード等である。外部から画像形成装置１０へ送出された前記印刷ジョブは、ＮＩＣ１９を通じて入力される。
【００１８】
操作表示部１３は、押しボタンスイッチなどの操作部、及び、液晶パネルなどの表示部を備える。操作表示部１３には、液晶ドライバーを含むパネル制御部が搭載されている。前記パネル制御部によって操作部から入力された信号が認識される。また、前記パネル制御部によって前記表示部に対する各種データの表示処理が実行される。
【００１９】
給紙部１４は、画像形成部１２で画像が形成される印刷用紙を収容するものである。また、給紙部１４は、図示しない給送機構を備えており、この給送機構は、給紙部１４に収容されている印刷用紙を画像形成部１２へ向けて給送する。前記給送機構は、給送ローラーや、この給送ローラーを回転駆動させる駆動モーターなどにより構成されており、必要に応じて駆動モーターが回転駆動されることにより、給送ローラーによって印刷用紙が給送される。
【００２０】
オプション給紙部１６は、画像形成装置１０に対して着脱可能に構成されており、画像形成装置１０の筐体に連結して用いられる。オプション給紙部１６は、給紙部１４と同じ構成を有しており、内部に収容された印刷用紙は前記給送機構によって画像形成部１２へ向けて給送される。
【００２１】
後処理装置１７は、画像形成装置１０に対して着脱可能に構成されており、画像形成装置１０の筐体に連結して用いられる。後処理装置１７は、画像形成部１２によって印刷用紙に画像が形成された後に画像形成装置１０から排出される複数の印刷用紙に対して後処理を実行する。前記後処理としては、ステープル処理や穿孔処理（パンチ処理）、ソート処理などがある。後処理装置１７の内部には、前記後処理を行うための駆動ユニットが設けられており、これらは、内蔵されている駆動モーターによって駆動制御される。
【００２２】
主制御部２０の判定部２１は、画像形成装置１０に対するオプション装置１８の装着の有無を判定する。かかる判定処理は、画像形成装置１０とオプション装置１８とを電気的に接続する通信接続部に信号ケーブルを介して所定の信号が送出され、その応答信号を主制御部２０が受信したかどうかによって行われる。主制御部２０が前記応答信号を受信した場合に、オプション装置１８が装着されていると判定される。また、前記応答信号を一定時間内に受信しなかった場合は、オプション装置１８が装着されていないと判定される。
【００２３】
主制御部２０の動作モード切替部２３は、画像形成装置１０の動作モードを、省電力モードと、通常動作モードとのいずれかに切り替える制御を行う。前記通常動作モードは、負荷部１５やオプション装置１８に電力を供給する動作モードであり、詳細には、負荷部１５を含む全ての構成部に電力を供給して動作させる動作モードのことである。前記省電力モードは、負荷部１５やオプション装置１８への電力の供給を遮断する省電力モードであり、詳細には、主制御部２０及びＮＩＣ１９などの一部の構成部だけに電力を供給して動作させ、負荷部１５やオプション装置１８への電力供給を遮断する動作モードである。前記省電力モードは、前記通常動作モードよりも省電力効果が高い動作モードである。例えば、画像形成装置１０の主電源が投入されたときに、画像形成装置１０は前記通常動作モードで動作される。しかし、印刷ジョブや画像形成指示、操作表示部１３に対する操作などのイベントが一定時間生じなかった場合（移行条件）に、動作モード切替部２３は、前記通常動作モードから前記省電力モードに切り替える。そして、画像形成装置１０が前記省電力モードであるときに前記イベントが発生すると、動作モード切替部２３は、前記省電力モードから前記通常動作モードに切り替える。
【００２４】
主制御部２０の電圧変更部２２は、判定部２１により判定されたオプション装置１８の装着状態に応じた電圧値に、後述の電源ユニット３０から負荷部１５及びオプション装置１８に供給される基準電圧Ｖ０を変更する。また、電圧変更部２２は、動作モード切替部２３によって前記省電力モードに切り替えられた場合に前記省電力モードに応じた電圧値に前記基準電圧Ｖ０を変更する。前記基準電圧Ｖ０の変更方法については後述する。
【００２５】
記憶部２４は、フラッシュメモリーなどの不揮発性の記憶装置である。記憶部２４には、動作モード切替部２３によって前記省電力モードに切り替えられる前のオプション装置１８の装着状態が記憶される。また、記憶部２４には、図４に示されるテーブルデータが記憶されている。前記テーブルデータは、オプション装置１８の装着状態に応じた最適な電圧値（基準電圧Ｖ０を決定するための設定値）が含まれており、また、前記省電力モードに応じた最適な電圧値が含まれている。
【００２６】
［電源ユニット３０の構成］
電源ユニット３０は、画像形成装置１０の構成部である画像読取部１１や画像形成部１２、操作表示部１３、給紙部１４、オプション給紙部１６、後処理装置１７などの負荷部１５や、ＮＩＣ１９、主制御部２０などの各構成部に必要な電力を供給する。電源ユニット３０から各構成部までの間は電源ケーブルで接続されている。
【００２７】
電源ユニット３０は、予め定められた電圧値の基準電圧Ｖ０を画像形成装置１０の負荷部１５やオプション装置１８などに供給する。図２に示されるように、電源ユニット３０は、ＡＣ／ＤＣコンバーター４０（本発明の電圧生成部の一例）と、ＤＣ／ＤＣコンバーター５０とを有している。ＡＣ／ＤＣコンバーター４０は、予め定められた電圧値の前記基準電圧Ｖ０を生成する。詳細には、ＡＣ／ＤＣコンバーター４０は、商用電源であるＡＣ１００Ｖを整流して直流電圧に変換し、それを更にスイッチング制御によって降圧して、予め定められた電圧値の直流の基準電圧Ｖ０を生成し、負荷部１５やオプション装置１８などの構成部に供給する。ＡＣ／ＤＣコンバーター４０は、おおよそＤＣ２４Ｖの基準電圧Ｖ０を出力する。本実施形態では、後述するように、基準電圧Ｖ０は、ＤＣ２４Ｖ〜ＤＣ２６Ｖの範囲内で変更可能である。
【００２８】
ＤＣ／ＤＣコンバーター５０は、ＡＣ／ＤＣコンバーター４０の二次側の電圧、つまり前記基準電圧Ｖ０を更に降圧する。ＤＣ／ＤＣコンバーター５０は、例えばＤＣ５Ｖを生成して主制御部２０に供給する。
【００２９】
電源ユニット３０内において、負荷部１５及びオプション装置１８に前記基準電圧Ｖ０が供給される給電経路には、トランジスタなどのスイッチング素子３１が設けられている。スイッチング素子３１は、負荷部１５に対応する前記給電経路を導通又は遮断する。スイッチング素子３１が必要に応じて主制御部２０の動作モード切替部２３によってスイッチングされる。これにより、動作モード切替部２３は、画像形成装置１０の動作モードを前記省電力モード又は前記通常動作モードのいずれかに切り替えることができる。具体的には、スイッチング素子３１のベースは主制御部２０に接続されており、主制御部２０の動作モード切替部２３からＨＩＧＨレベルの制御信号が出力されると、その信号がスイッチング素子３１のベースに入力されて、スイッチング素子３１のコレクタとエミッタとが導通する。これにより、前記給電経路が導通する。一方、前記制御信号が無くなると、スイッチング素子３１のコレクタとエミッタとの間が遮断される。なお、電源ユニット３０は、主電源がオフにされない限り、ＮＩＣ１９および主制御部２０に常時電力を供給する。
【００３０】
［ＡＣ／ＤＣコンバーター４０の構成］
以下、図３を参照して、ＡＣ／ＤＣコンバーター４０の構成について説明する。図３に示されるように、ＡＣ／ＤＣコンバーター４０は、整流回路４１と、電解コンデンサ４２と、スイッチング部４３と、制御ＩＣ４４（本発明のスイッチング制御部の一例）と、高周波タイプのトランス４５と、整流平滑回路４６と、を備えている。
【００３１】
整流回路４１は、４つのダイオード４１Ａ〜４１Ｄからなるダイオードブリッジ回路であり、商用電源として外部から入力された交流（例えばＡＣ１００Ｖ）を一方向の脈流に整流する。整流回路４１で整流された直流は、電解コンデンサ４２によって平滑化されて、より安定した直流に変換される。
【００３２】
スイッチング部４３は、所定の周波数の制御信号（周波数信号）が入力されると、その制御信号の周波数に応じて給電経路をスイッチングする。これにより、前記基準電圧Ｖ０に対応するパルス状（矩形波状）の電圧信号がスイッチング部４３により生成される。言い換えると、スイッチング部４３は、電解コンデンサ４２によって平滑化された直流電圧を、パルス状の前記電圧信号に変換する。本実施形態では、スイッチング部４３は、パワーＭＯＳＦＥＴなどのスイッチング素子４３Ａによって構成されている。なお、スイッチング素子４３ＡとしてパワーＭＯＳＦＥＴを例示するが、これに代えて、例えば、通常のＭＯＳＦＥＴや通常のＦＥＴ（電界効果トランジスタ）を適用することが可能であり、或いは、パワートランジスタ又は通常のトランジスタを適用することも可能である。
【００３３】
制御ＩＣ４４は、スイッチング部４３のスイッチング素子４３Ａに対して前記制御信号を出力する。この制御ＩＣ４４は、具体的には、ＰＷＭコントローラーであって、前記制御信号のデューティー比を適宜変更する。これにより、スイッチング部４３から所定の周波数の前記電圧信号が出力されるようにスイッチング素子４３Ａがスイッチング制御される。具体的には、スイッチング素子４３Ａは、制御ＩＣ４４によってオンオフ制御される。これにより、電解コンデンサ４２によって平滑化された直流の給電電路が断続的に開閉されて、スイッチング部４３からトランス４５の一次側にパルス状の前記電圧信号が出力される。
【００３４】
制御ＩＣ４４には、内部メモリー４４Ａが設けられている。内部メモリー４４Ａには、前記基準電圧Ｖ０を決定するための設定値（基準電圧Ｖ０を決定するための設定値）が記憶されている。制御ＩＣ４４は、前記設定値を参照して、前記設定値に応じたデューティー比の前記制御信号を生成して、スイッチング素子４３Ａに出力する。
【００３５】
トランス４５は、スイッチング部４３から出力された前記電圧信号を降圧する電圧変換器である。トランス４５によって降圧された前記電圧信号はパルス状の信号である。トランス４５によって降圧された二次側の電圧は、整流平滑回路４６によって整流され、更に平滑化されることによって、直流の前記基準電圧Ｖ０に変換される。整流平滑回路４６において、二つのダイオード４６Ａ，４６Ｂとコイル４６Ｃによって電圧の整流が行われ、電解コンデンサ４６Ｄによって平滑化が行われる。
【００３６】
制御ＩＣ４４の内部メモリー４４Ａ内の前記設定値は、主制御部２０の電圧変更部２２から送出される変更信号によって書き換えられる。前記設定値が書き換えられると、制御ＩＣ４４は、書き換え後の設定値に応じた制御信号を生成してスイッチング素子４３Ａに出力する。内部メモリー４４Ａ内の前記設定値が書き換えられることによって、前記制御信号が変更されると、スイッチング部４３から出力される前記電圧信号が変更される。その結果、整流平滑回路４６で平滑化されて得られる前記基準電圧Ｖ０も変更後の前記電圧信号に応じた電圧値に変更される。つまり、主制御部２０の電圧変更部２２によって、前記基準電圧Ｖ０は、内部メモリー４４Ａ内の設定値に対応する電圧値に変更される。
【００３７】
前記変更信号は、主制御部２０の電圧変更部２２が制御ＩＣ４４に送出する。電圧変更部２２は、記憶部２４内に記憶されているテーブルデータ（図４参照）を参照して、オプション装置１８の装着状態に対応する電圧値（以下、設定電圧Ｖ１１〜Ｖ１４という。）を前記テーブルデータから選択して、その設定電圧Ｖ１１〜Ｖ１４の情報を含む変更信号を制御ＩＣ４４に送出する。また、電圧変更部２２は、画像形成装置１０の動作モードが前記省電力モードに変更されると、前記省電力モードに対応する電圧値（以下、設定電圧Ｖ１５という。）を前記テーブルデータから選択してその設定電圧Ｖ１５の情報を含む変更信号を制御ＩＣ４４に送出する。
【００３８】
例えば、オプション給紙部１６及び後処理装置１７が装着されている場合は、設定電圧Ｖ１１（＝２６．０［Ｖ］）が選択されて、その情報を含む変更信号が電圧変更部２２によって送出される。また、後処理装置１７だけが装着されている場合は、設定電圧Ｖ１２（＝２５．５［Ｖ］）が選択されて、その情報を含む変更信号が電圧変更部２２によって送出される。また、オプション給紙部１６だけが装着されている場合は、設定電圧Ｖ１３（＝２５．０［Ｖ］）が選択されて、その情報を含む変更信号が電圧変更部２２によって送出される。また、オプション装置１８が装着されていない場合は、設定電圧Ｖ１４（＝２４．５［Ｖ］）が選択されて、その情報を含む変更信号が電圧変更部２２によって出力される。また、画像形成装置１０が前記省電力モードに移行した場合は、設定電圧Ｖ１５（＝２４．０［Ｖ］）が選択されて、その情報を含む変更信号が電圧変更部２２によって送出される。
【００３９】
ここで、前記設定電圧は、画像形成装置１０の負荷に応じて予め決定される。言い換えると、前記設定電圧は、負荷が小さい場合に一番小さい電圧値に定められ、負荷が大きい場合は、負荷が小さい場合よりも高い電圧値に定めされる。つまりオプション装置１８が装着されている場合、前記基準電圧Ｖ０は、オプション装置１８が装着されていないときに供給される基準電圧Ｖ０の電圧値（設定電圧Ｖ１５）よりも高い電圧値に定められる。したがって、電圧変更部２２は、オプション装置１８が装着されている場合に、基準電圧Ｖ０を、オプション装置１８が装着されていないときのよりも高い電圧値に変更する。
【００４０】
また、動作モード切替部２３によって前記省電力モードに切り替えられた場合、前記基準電圧Ｖ０は、オプション装置１８が装着されていないときに供給される基準電圧Ｖ０の電圧値（設定電圧Ｖ１４）よりも低い設定電圧に設定される。したがって、電圧変更部２２は、前記省電力モードである場合に、基準電圧Ｖ０を、オプション装置１８が装着されていないときのよりも低い電圧値に変更する。なお、電圧変更部２２は、前記省電力モードである場合に、基準電圧Ｖ０を、オプション装置１８が装着されていないときと同じ電圧値に変更するものであってもよい。
【００４１】
具体的には、全てのオプション装置１８が装着されている場合は、電源ユニット３０から各構成部までの電源ケーブルの負荷（抵抗）やオプション装置１８の負荷（消費電力量）が大きく、これらの負荷による電圧降下が大きいため、前記設定電圧Ｖ１１は最も高い電圧値（＝２６．０［Ｖ］）に定められている。そして、オプション装置１８が装着されていない場合は負荷が小さいため、前記設定電圧圧Ｖ１４は前記設定電圧Ｖ１１よりも低い電圧値（＝２４．５［Ｖ］）に定められている。また、前記省電力モードのときに最も負荷が小さくなるため、前記設定電圧Ｖ１５は最も低い電圧値（＝２４．０［Ｖ］）に定められている。このように、負荷に応じた電圧値に前記基準電圧Ｖ０が設定されるため、前記基準電圧Ｖ０が最大負荷に応じた電圧値に常に設定されている場合に比べて、電源ケーブルの抵抗などによる無駄な電力消費が抑制される。なお、上述した前記設定電圧の具体的な数値は単なる一例であり、前記設定電圧は画像形成装置１０における負荷に応じて適宜定められる。
【００４２】
また、制御ＩＣ４４には、整流平滑回路４６の出力電圧が入力されている。制御ＩＣ４４は、負荷変動に伴いスイッチング部４３の出力電圧が変動しないように、整流平滑回路４６の出力を取り込んで、スイッチング部４３をフィードバック制御している。これにより、変動の少ない安定した基準電圧Ｖ０が生成される。
【００４３】
［変更処理］
以下、図５のフローチャートを参照して、主制御部２０により実行される基準電圧Ｖ０の電圧値の変更処理の手順の一例を説明する。図５中のＳ１１、Ｓ１２、・・・は処理手順（ステップ）の番号を表している。各ステップにおける処理が行われることによって、主制御部２０の判定部２１、電圧変更部２２、動作モード切替部２３が実現される。なお、各ステップの処理は、主制御部２０の前記ＣＰＵが前記ＲＯＭ内のプログラムを実行することにより行われる。
【００４４】
主制御部２０は、画像形成装置１０の主電源が投入されると、画像形成装置１０を前記通常動作モードで動作させる。具体的には、動作モード切替部２３がスイッチング素子３１を動作させて全ての構成部に電力を供給する。このとき、主制御部２０は、制御ＩＣ４４の内部メモリー４４Ａ内の設定値を最大の設定電圧Ｖ１１に対応する設定値に設定する（Ｓ１１）。つまり、制御ＩＣ４４の内部メモリー４４Ａ内の設定値を最大の設定電圧Ｖ１１に対応する設定値に書き換える。具体的には、電圧変更部２２が設定電圧Ｖ１１の情報を含む前記変更信号を制御ＩＣ４４に送出する。このとき、制御ＩＣ４４は、内部メモリー４４Ａの設定値を、受け取った変更信号に含まれている設定電圧Ｖ１１に応じた設定値に変更する。これにより、制御ＩＣ４４は、基準電圧Ｖ０の電圧値が設定電圧Ｖ１１になるようにスイッチング素子４３Ａをスイッチング制御する。
【００４５】
次に、主制御部２０の判定部２１は、画像形成装置１０に対するオプション装置１８の装着の有無を判定する（Ｓ１２）。そして、ステップＳ１３において、オプション装置１８が装着されていると判定されると、主制御部２０は、ステップＳ１４に進み、オプション装置１８の装着状態に対応した設定電圧Ｖ１１〜Ｖ１３を記憶部２４内の前記テーブルデータから選択する。そして、主制御部２０は、制御ＩＣ４４の内部メモリー４４Ａ内の設定値を、選択された設定電圧Ｖ１１〜Ｖ１３に対応する設定値に変更する（Ｓ１４）。一方、ステップＳ１３において、オプション装置１８が装着されていないと判定されると、主制御部２０は、ステップＳ１５に進み、オプション装置１８が装着されていない状態に対応した設定電圧Ｖ１４を記憶部２４内の前記テーブルデータから選択する。そして、主制御部２０は、制御ＩＣ４４の内部メモリー４４Ａ内の設定値を、選択された設定電圧Ｖ１４に対応する設定値に変更する（Ｓ１５）。
【００４６】
これにより、オプション装置１８の装着状態に応じた電圧値の基準電圧Ｖ０をＡＣ／ＤＣコンバーター４０に生成させて、ＡＣ／ＤＣコンバーター４０から出力させることができる。
【００４７】
次のステップＳ１６では、主制御部２０は、オプション装置１８の装着状態、及び、ステップＳ１４又はステップＳ１５で選択された前記設定電圧を記憶部２４に記憶する。その後、ステップＳ１７では、主制御部２０は、画像形成装置１０の動作モードを前記通常動作モードから前記省電力モードに移行させるための移行条件が成立したかどうかを判定する。
【００４８】
ステップＳ１７において、前記移行条件が成立したと判定されると、主制御部２０は、ステップＳ１８に進み、画像形成装置１０の動作モードを前記省電力モードに移行する。具体的には、スイッチング素子３１をオフにする。その後、主制御部２０は、ステップＳ１９に進み、前記省電力モードに対応した設定電圧Ｖ１５を記憶部２４内の前記テーブルデータから選択する。そして、主制御部２０は、制御ＩＣ４４の内部メモリー４４Ａ内の設定値を、選択された設定電圧Ｖ１５に対応する設定値に変更する（Ｓ１９）。
【００４９】
その後、主制御部２０は、画像形成装置１０が前記通常動作モードに復帰したかどうかを判定する（Ｓ２０）。ステップＳ２０において、前記通常動作モードに移行したと判定されると、主制御部２０は、ステップＳ２１に進み、ステップＳ１６で記憶部２４に記憶した設定電圧を記憶部２４から読み出して、制御ＩＣ４４の内部メモリー４４Ａ内の設定値を、読み出された設定電圧に対応する設定値に変更する。これにより、制御ＩＣ４４は、基準電圧Ｖ０の電圧値が前記省電力モードに移行する前に設定されていた設定電圧になるようにスイッチング素子４３Ａをスイッチング制御する。
【００５０】
これにより、画像形成装置１０が前記省電力モードに移行して前記通常動作モードに復帰した場合でも、オプション装置１８の装着の有無を判定することなく、ＡＣ／ＤＣコンバーター４０からオプション装置１８の装着状態に応じた電圧値の基準電圧Ｖ０を出力させることができる。
【００５１】
このように、本実施形態の画像形成装置１０によれば、ＡＣ／ＤＣコンバーター４０が備えている制御ＩＣ４４およびスイッチング部４３を用いて、ＡＣ／ＤＣコンバーター４０から出力される基準電圧Ｖ０の電圧値を変更することができる。このため、昇圧回路を有しない簡単な回路構成の電源ユニット３０であっても、基準電圧Ｖ０の変更が可能となる。
【００５２】
なお、上述の実施形態では、ＡＣ／ＤＣコンバーター４０に設けられた制御ＩＣ４４内の設定値を変更して基準電圧Ｖ０を変更する例について説明したが、例えば、制御ＩＣ４４から出力される前記電圧信号をスイッチング部４３に出力せずに主制御部２０に出力し、主制御部２０において前記電圧信号をオプション装置１８に対応した設定電圧に応じて補正してから、補正後の電圧信号をスイッチング部４３に出力するようにしてもよい。
【００５３】
また、本発明の電気機器として画像形成装置１０を例示したが、本発明は、画像形成装置１０以外の種々の電気機器にも適用可能である。
【符号の説明】
【００５４】
１０：画像形成装置
１１：画像読取部
１２：画像形成部
１３：操作表示部
１４：給紙部
１５：負荷部
１６：オプション給紙部
１７：後処理装置
１８：オプション装置
２０：主制御部
３０：電源ユニット
４０：ＡＣ／ＤＣコンバーター
４４：制御ＩＣ
４３：スイッチング部
【図１】
2016154420.tif 000003
【図２】
2016154420.tif 000004
【図３】
2016154420.tif 000005
【図４】
2016154420.tif 000006
【図５】
2016154420.tif 000007